(57)【要約】【課題】利用者がフリッカの影響を抑える制御を行うべきかどうかを判断するための情報を提供することを可能にした撮像装置を提供する。【解決手段】被写体像を撮像する撮像部と、被写体を照明する照明光のフリッカを検出するフリッカ検出部と、フリッカ検出部によりフリッカが検出された場合に、撮像部により撮像された画像から、フリッカの影響を受けたか、あるいはフリッカの影響を受けたように見える画像であるフリッカ画像を生成する生成部と、画像を表示する表示部と、表示部に、フリッカの影響を受けていない画像と、フリッカ画像とを表示させるように制御する制御部とを備える。【選択図】図８
2015011073.tif 000002
【特許請求の範囲】
【請求項１】
被写体像を撮像する撮像手段と、
被写体を照明する照明光のフリッカを検出するフリッカ検出手段と、
前記フリッカ検出手段によりフリッカが検出された場合に、前記撮像手段により撮像された画像から、フリッカの影響を受けたか、あるいはフリッカの影響を受けたように見える画像であるフリッカ画像を生成する生成手段と、
画像を表示する表示手段と、
前記表示手段に、フリッカの影響を受けていない画像と、前記フリッカ画像とを表示させるように制御する制御手段と、
を備えることを特徴とする撮像装置。
【請求項２】
前記フリッカ検出手段がフリッカを検出した場合に、前記制御手段は、前記表示手段にフリッカが発生していることを表示させることを特徴とする請求項１に記載の撮像装置。
【請求項３】
前記フリッカ画像を表示する指示を行う指示手段をさらに備え、前記指示手段を利用者が操作した場合に、前記表示手段に前記フリッカ画像を表示することを特徴とする請求項１又は２に記載の撮像装置。
【請求項４】
フリッカの影響を受ける画像を補正する補正手段をさらに備え、前記補正手段は、前記照明光のフリッカの周期に応じて、前記撮像手段の撮像のタイミングを遅らせることにより、フリッカの影響を受ける画像を補正することを特徴とする請求項１乃至３のいずれか１項に記載の撮像装置。
【請求項５】
前記補正手段は、前記撮像手段が撮像した画像のうち、フリッカの影響による暗い部分を明るくするか、明るい部分を暗くするかの少なくともいずれかの方法により、前記フリッカの影響を補正することを特徴とする請求項４に記載の撮像装置。
【請求項６】
前記補正手段による補正を行うか否かを利用者に選択させる選択手段をさらに備えることを特徴とする請求項４または５に記載の撮像装置。
【請求項７】
前記生成手段は、前記撮像手段が撮像した画像のうち、暗い部分をさらに暗くするか、明るい部分をさらに明るくするかの少なくともいずれかの方法により前記フリッカ画像を生成することを特徴とする請求項１乃至６のいずれか１項に記載の撮像装置。
【請求項８】
前記生成手段は、前記撮像手段に、最もフリッカが目立つタイミングで被写体を撮像させることにより、前記フリッカ画像を生成することを特徴とする請求項１乃至６のいずれか１項に記載の撮像装置。
【請求項９】
前記制御手段は、前記表示手段に、フリッカの影響を受けていない画像と、前記フリッカ画像とを同時に表示させることを特徴とする請求項１乃至８のいずれか１項に記載の撮像装置。
【請求項１０】
前記制御手段は、前記表示手段に、フリッカの影響を受けていない画像と、前記フリッカ画像とを切り替えて表示させることを特徴とする請求項１乃至８のいずれか１項に記載の撮像装置。
【請求項１１】
被写体像を撮像する撮像手段と、画像を表示する表示手段とを備える撮像装置を制御する方法であって、
被写体を照明する照明光のフリッカを検出するフリッカ検出工程と、
前記フリッカ検出工程によりフリッカが検出された場合に、前記撮像手段により撮像された画像から、フリッカの影響を受けたか、あるいはフリッカの影響を受けたように見える画像であるフリッカ画像を生成する生成工程と、
前記表示手段に、フリッカの影響を受けていない画像と、前記フリッカ画像とを表示させるように制御する制御工程と、
を有することを特徴とする撮像装置の制御方法。
【発明の詳細な説明】
【技術分野】
【０００１】
本発明はデジタルカメラ等の撮像装置における、撮影時に発生する外光変化（一般的にはフリッカと呼ばれる）による露出ムラの補正技術に関する。
【背景技術】
【０００２】
近年、デジタルカメラの撮像素子の高感度化に伴い、屋内など人工光源下でも高速シャッター（短い露光時間）で撮影可能になってきている。 しかしながら、フリッカ光源下において高速シャッターで撮影すると、フリッカ光源に起因する外光の変化により、連続撮影におけるフレーム毎の明るさにバラツキが発生する。また、撮像領域を所定領域毎に順次露光させていく、いわゆるローリングシャッターでの撮影では、フリッカ光源に起因する外光の変化により、画面内で露出ムラが発生する。
【０００３】
この様な問題に対して、特許文献１では、光源の発光周期で最も光量が大きくなるタイミングで露光を行う技術が提案されている。この技術によれば、連続撮影においても光源の発光周期の最も光量が大きいタイミングで各撮影を行うため、フレーム毎の明るさのバラツキは生じない。また、発光周期で最も光量が大きくなるタイミングの近傍は光量変化が小さいため、画面内の露光ムラも軽減できる。
【先行技術文献】
【特許文献】
【０００４】
【特許文献１】特開２００４−１９３９２２号公報
【発明の概要】
【発明が解決しようとする課題】
【０００５】
しかしながら、上述の特許文献１に開示された従来技術では、光源の発光周期の最も光量が大きいタイミングに合わせて撮影を行うため、利用者の意図したタイミングで撮影されずシャッターチャンスを逃す可能性がある。利用者にとっては、多少フリッカによる露光ムラなどが生じてもシャッターチャンスを逃したくない場合もあるが、フリッカの影響を抑える制御を行うべきかシャッターチャンスを逃さない制御を行うべきかを判断するための情報がなく、容易に判断することができない。
また、撮影後に画像処理によってフリッカの影響を抑えた画像に補正する技術もあるが、補正により明るさのバラツキや露出ムラは抑えられる代わりにノイズのバラツキが目立つようになる。このような場合も、フリッカの影響を抑える制御を行うべきかノイズのバラツキが目立たない制御を行うべきかを容易に判断することはできない。
【０００６】
本発明は上述した課題に鑑みてなされたものであり、その目的は、利用者がフリッカの影響を抑える制御を行うべきかどうかを判断するための情報を提供することを可能にした撮像装置を提供することである。
【課題を解決するための手段】
【０００７】
本発明に係わる撮像装置は、被写体像を撮像する撮像手段と、被写体を照明する照明光のフリッカを検出するフリッカ検出手段と、前記フリッカ検出手段によりフリッカが検出された場合に、前記撮像手段により撮像された画像から、フリッカの影響を受けたか、あるいはフリッカの影響を受けたように見える画像であるフリッカ画像を生成する生成手段と、画像を表示する表示手段と、前記表示手段に、フリッカの影響を受けていない画像と、前記フリッカ画像とを表示させるように制御する制御手段と、を備えることを特徴とする。
【発明の効果】
【０００８】
本発明によれば、利用者がフリッカの影響を抑える制御を行うべきかどうかを判断するための情報を提供することを可能にした撮像装置を提供することが可能となる。
【図面の簡単な説明】
【０００９】
【図１】本発明の撮像装置の一実施形態であるデジタル一眼レフカメラの構成を示す側断面図。
【図２】撮像装置の構成を示すブロック図。
【図３】フリッカの波形とその影響を受けた画像を示す図。
【図４】フリッカの例とそのフレームごとの積分値の例を示す図。
【図５】フリッカの影響を受けた画像とフリッカを補正した画像を示す図。
【図６】フリッカをシミュレーションした場合の画像を示す図。
【図７】ファインダー表示の例を示す図。
【図８】フリッカシミュレーション結果の表示の例を示す図。
【図９】フリッカ検知、フリッカ画像表示などの処理の流れを示す図。
【図１０】ユーザーインターフェースの例を示す図。
【発明を実施するための形態】
【００１０】
以下、本発明の一実施形態について、添付図面を参照して詳細に説明する。
【００１１】
（装置の構成）
図１は、本発明の撮像装置の一実施形態であるデジタル一眼レフカメラの構成を示す側断面図である。図１において２０１はデジタル一眼レフカメラ本体（以下カメラ）であり、その前面には被写体像を結像させる撮影レンズ２０２が装着される。撮影レンズ２０２は交換可能であり、またカメラ２０１と撮影レンズ２０２は、マウント接点群２１５（図２に記載）を介して電気的にも接続される。撮影レンズ２０２の中には、フォーカシングレンズ２１３と絞り２１４が配置されており、マウント接点群２１５を介した制御により、カメラ内に取り込む光量を調整し、ピントを調整できるようになっている。
【００１２】
２０３はメインミラーであり、ハーフミラーとなっている。メインミラー２０３はファインダー観測状態では撮影光路上に斜設される。撮影レンズ２０２からの撮影光束をファインダー光学系へと反射する一方、透過光はサブミラー２０４を介してＡＦユニット２０５へと導かれる。
【００１３】
ＡＦユニット２０５は位相差検出方式の焦点調節を行うためのユニットである。位相差方式による焦点検出については公知の技術であるため、具体的な制御に関してはここでは省略する。撮影レンズ２０２の二次結像面を焦点検出用のラインセンサ上に形成することによって、撮影レンズ２０２の焦点調節状態を検出し、その検出結果をもとにフォーカシングレンズ２１３を駆動して自動焦点調節を行う。
【００１４】
２０６はファインダー光学系を構成する撮影レンズ２０２の予定結像面に配置されたマット面である。２２０は同じく撮影レンズ２０２の予定結像面に配置されたファインダー表示素子である。これは表示したい内容によって各表示方法を適宜用いるものとする。例としては発光ダイオード（ＬＥＤ）・有機発光ダイオード（ＯＬＥＤ）・有機ＥＬ・液晶などが挙げられる。
【００１５】
２０７はファインダー光路変更用のペンタプリズムである。２０９はアイピースであり、利用者はここからマット面２０６を観察することによって、撮影画面を確認することができる。アイピース２０９には不図示の視度調整レンズやその他光学系を含むものとする。
【００１６】
また２０８はＡＥユニットであり、被写体の明るさを観測するため、ファインダー画面内を、後述する複数画素を持つ測光センサ３０３にて検知し、各画素出力より被写体輝度に関する出力を得ることができる。本実施形態において測光センサは必要に応じて加算することで、低照度時に、より広いダイナミックレンジが得られるものとする。本実施形態においては、ＡＥユニット２０８にて被写体の明るさを観測すると同時に、ここで得られる画像を用い後述する被写体認識や追尾処理を行う。
【００１７】
２１０はフォーカルプレーンシャッター、２１１はメインの撮像素子である。露光を行う際は、メインミラー２０３、およびサブミラー２０４は撮影光束上から退避し、フォーカルプレーンシャッター２１０が開くことにより、撮像素子２１１が露光される。ここで、以降は混同を避けるために、撮像素子２１１による撮像を本撮像、ＡＥユニット２０８による撮像を補助撮像と呼ぶこととする。また、本撮像よって生成される画像を本画像、補助撮像によって生成される画像を補助画像と呼ぶこととする。また、２１２はディスプレイユニットであり、撮影情報や撮影画像を表示し、利用者が確認できるようにするものである。
【００１８】
また、メインミラー２０３、マット面２０６、ペンタプリズム２０７、ＡＥユニット２０８、アイピース２０９、ファインダー表示素子２２０、などのファインダー光学系およびそこへ導くメインミラー２０３を持たないカメラの構成も考えることができる。この場合でも、本発明は実施可能である。
【００１９】
次に、本実施形態の撮像装置の機能について、図２の構成図を用いて説明する。なお、図１と同じ部材については、同一符号を付すことにする。
【００２０】
操作部３０１は、利用者がカメラ２０１に取り付けられたボタン、スイッチ、ダイヤル、接続機器等を介して行った操作を検知し、操作内容に応じた信号をシステム制御部３０６へ送る。特に、操作部３０１は、レリーズボタンを半押しされたことに応じてＳＷ１信号を、レリーズボタンを押し込んだことに応じてＳＷ２信号をシステム制御部３０６に出力する。ここで、利用者がレリーズボタンの半押しを維持した状態をＳＷ１保持状態と呼び、レリーズボタンの押し込みを維持した状態をＳＷ２保持状態と呼ぶこととする。また、操作部３０１は、利用者がＳＷ１保持状態においてレリーズボタンを離したことに応じてＳＷ１解除信号を、ＳＷ２保持状態においてレリーズボタンを離したことに応じてＳＷ２解除信号をシステム制御部３０６に出力する。
【００２１】
ＡＦユニット２０５は自動焦点検出を行うものであり、ＡＦ制御部３０４および測距センサ３０５で構成される。測距センサ３０５は複数点の測距点配置に対応する一対のラインセンサで構成され、サブミラー２０４を介して入射される光を電気信号に変換し、像信号をＡＦ制御部３０４に出力する。ＡＦ制御部３０４は、測距センサ３０５から出力された像信号に基づいて、各ラインセンサに対応する測距点のデフォーカス量を計算し、焦点調節を行う測距点を１つ選択する。そして、各測距点のデフォーカス量をデータとして持つデフォーカスマップと、選択した測距点の位置情報とをシステム制御部３０６に出力する。システム制御部３０６は、選択測距点位置およびデフォーカスマップに基づいて焦点調節演算を行い、フォーカシングレンズ２１３を制御する。また、ファインダー表示部３１０はファインダー表示素子２２０で構成される。ＡＦユニット２０５で決定した測距点を表示し利用者に現在どの被写体に焦点が調節されているかを伝える。
【００２２】
ＡＥユニット２０８は自動露出演算および被写体追尾を行うものであり、ＡＥ制御部３０２および測光センサ３０３で構成される。ＡＥ制御部３０２は、測光センサ３０３から読み出した測光画像データに基づいて自動露出演算を行い、結果をシステム制御部３０６に出力する。システム制御部３０６はＡＥ制御部３０２から出力された自動露出演算の結果に基づいて、絞り２１４の開き量を制御し、カメラ２０１内に入射する光の量を調節する。さらに、レリーズ時にフォーカルプレーンシャッター２１０を制御し、撮像素子２１１の露光時間を調節する。
【００２３】
また、ＳＷ１保持状態および連写中において、ＡＥ制御部３０２は測光センサ３０３から取得した測光画像データを用いて被写体追尾を行い、被写体の位置データをシステム制御部３０６に出力する。システム制御部３０６はＡＥ制御部３０２から出力された追尾対象の位置データをＡＦ制御部３０４に出力する。
【００２４】
システム制御部３０６は、操作部３０１から出力される信号に基づいてメインミラー２０３、サブミラー２０４およびフォーカルプレーンシャッター２１０を制御する。操作部３０１から出力される信号がＳＷ２信号であれば、メインミラー２０３、サブミラー２０４をアップし、フォーカルプレーンシャッター２１０を制御することで撮像素子２１１に光を照射させる。シャッター制御が終了すれば、メインミラー２０３、サブミラー２０４をダウンさせる。
【００２５】
撮像素子２１１は撮影レンズ２０２を通して入射する光を電気信号に変換して画像データを生成し、システム制御部３０６へ出力する。システム制御部３０６は撮像素子２１１から出力された画像データをディスプレイ２１２に表示させるとともに、画像記憶装置３０７へ書き込む。
【００２６】
（フリッカの例）
図３を用いて本実施形態で取り扱う照明光のフリッカとその影響が表れた撮影画像の例について説明する。
【００２７】
フリッカが発生している光源を想定する。インバーターの使われていない蛍光灯などが交流電源によって５０Ｈｚ／６０Ｈｚの周期でちらついている状態を想定する。なお蛍光灯や白熱球はマイナス電圧でも発光するのでサイン波をＸ軸で折り返した形状になる。
【００２８】
図３（ａ）の１００はフリッカが発生している光源を撮影した後の撮像素子２１１における各画素のフォトダイオードで発電され蓄積される光量を示したグラフである。撮像の際にメカシャッターであればシャッターの動く速度により画面の上と下ではシャッタータイミングがずれる。またＣＭＯＳセンサを用いて動画を撮影する場合のような撮像領域を所定領域毎に順次露光させていくローリングシャッターであれば、領域毎に蓄積時間がずれていく。しかしどちらの場合でもセンサ上での蓄積結果としてはサイン波に近い形状でフリッカの影響を受けるので、図３のグラフを便宜的に用いる。
【００２９】
図３（ａ）の１０１の期間に静止画を撮影したとすると、光源のもっとも明るく変化の少ない部分を使えるので、図３（ｂ）のように適正露出で撮影できる。図３（ａ）の１０２の期間に静止画を撮影したとすると、光源の暗い期間を使うことになるので、図３（ｂ）の時と同じ露出計算によるシャッタースピード・絞り・ゲインで撮影すると、図３（ｃ）のように暗く撮影されてしまう。これがフリッカによる失敗撮影の例である。
【００３０】
図３（ａ）の１０３の期間にローリングシャッターによる動画のうちの１コマを撮影したとすると、光源の変化の大きい期間を使うことになるので、図３（ｄ）のように上下で露出の違う画像が撮影されてしまう。これもフリッカによる失敗撮影の例である。
【００３１】
（フリッカ検出の方法）
フリッカの検出は公知の方法を用いるものとするが、その一例を以下に示す。これらの処理はシステム制御部３０６によって実施される。
【００３２】
図４（ａ）はフリッカの一例を表している。グラフの正弦波は商用電源５０Ｈｚで蛍光灯が点灯している様子を表す。蛍光灯は交流の＋でも−でも点灯するので結果的に1秒間に１００回点灯する。仮に秒間６０フィールドで撮像、蓄積時間は１／６０秒、正弦波のピークを１とし、１周期１／５０秒を２πと仮定するとフィールドごとの蓄積量は図４（ｂ）のようになる。このように１００Ｈｚの光源と６０Ｈｚの記録の組み合わせでは、２０Ｈｚ周期で明るいフィールドと暗いフィールドを繰り返すことになる。
【００３３】
よってこれを検出するには過去１０フレーム前後程度の画面の輝度の積分値を保存しておき、２０Ｈｚのバンドパスフィルタに掛けた和を３フィールド分保存する。そして、それら３フィールドの積分値の差が一定以上であればフリッカが発生していると判断することができる。
【００３４】
ここでこのフリッカの検出を行う場合、メインミラー２０３を上げて撮影レンズ２０２からの光線を撮像素子２１１で撮影するライブビュー撮影中や、ファインダーを持たない構成の場合、撮像素子２１１で検出を行う。
【００３５】
また、メインミラー２０３を図１のように下げて、撮影レンズ２０２からの光線が光学ファインダーを通るようにする場合にはＡＥユニット２０８に含まれる測光センサ３０３で検出する。この場合は、撮像の間隔として秒間６０フィールドにこだわる必要はなく、もっと細かいサイクルで蓄積、及び測定することができる。これによって、フリッカの正弦波の形を検出することができる。それによって、後述のフリッカの補正や、フリッカ画像の作成のタイミングを知ることができる。
【００３６】
（フリッカ補正の例）
図５を用いて、本実施形態でのフリッカ補正の例について説明する。これらの処理はシステム制御部３０６によって実施され、フリッカの補正が行われる。図５（ａ）、図５（ｂ）の１００は、図３と同様にフリッカ光源を撮影した撮像素子２１１上の光量を示している。利用者が通常のシャッターによる静止画を撮影する際に、４０１のタイミングで撮影するため、操作部３０１からＳＷ２信号を送信し撮影開始したとする。この場合、タイムラグをここでは無視できるぐらい小さいとするなら、４０２の期間に蓄積したような、図３（ｃ）のような画像となる。
【００３７】
ここでもし、フリッカ光源であることを検知し、フリッカ正弦波の波形のタイミングもわかっていれば、フリッカによる失敗撮影を避けるため、撮像開始を４０３に遅らせることにより、図５（ｃ）のように失敗を避けることができる。
【００３８】
また同様に、通常のシャッターによる静止画撮影において、利用者が４０４の期間に蓄積するような撮影をした場合、画面内の平均的な輝度レベルは４０５になるとする。画像は同様に図３（ｃ）のようになる。
【００３９】
ここでもし、フリッカ光源であることを検知しており、フリッカによる失敗撮影を避けるため、撮影期間４０６に相当する４０７にまでゲインをかけて輝度レベルを上げることにより、図５（ｃ）のように失敗を避けることができる。
【００４０】
利用者がローリングシャッター静止画撮影において、４０８の期間で蓄積する撮影する場合、図３の説明でも示したとおり、画面の上下で光量の違う図５（ｄ）のような失敗撮影となる。この時、図５（ｂ）の３００のように光源の光量が変化しているのが原因であり、光量変化に対する画像のゲインをラインごとに変化させ、４００に示すようなゲインをかけることによって図５（ｃ）のように失敗を避けることができる。
【００４１】
このようにフリッカの発生している光源を照射された被写体の撮影には、上記のような補正方法を用いることができる。しかし、図５（ａ）の４０１のタイミングの時のように、シャッタータイミングを４０３の位置にずらす場合、当然シャッターのタイムラグが発生し、シャッターレスポンスが悪化する。動きの速い被写体を撮影する場合など、シャッターチャンスを逃し思い通りに撮影ができないことになる。また、図５（ｂ）の４０４、４０８のタイミングの時のように、蓄積画像に対してゲインをかける場合、ゲインをかけるということはＳ／Ｎ比を悪化させることになるため、画像間や画像内のノイズのバラツキが目立つようになる。
【００４２】
（フリッカ画像作成の例）
本実施形態では、先に述べたフリッカ補正を行うかどうかの判断材料として、フリッカの影響を受けた画像（以下、フリッカ画像とする）を利用者に提示し、後述するユーザーインターフェースによって利用者がフリッカ補正を行うかどうかを選択可能にしている。その場合、フリッカ画像を先に述べた補正と逆の方法で意図的に作り出して提示する。その方法について以下説明する。なお、この処理はシステム制御部３０６によって実施さる。
【００４３】
図６（ａ）、図６（ｂ）の１００は、図３（ａ）の場合と同様にフリッカ光源を撮影した撮像素子２１１上の光量を示している。手順としては利用者が、フリッカが発生して補正しなかった場合のフリッカ画像を見たい場合、操作部３０１を操作して後述の方法でフリッカ画像を作成し、同じく後述の方法でディスプレイユニット２１２に表示させる。
【００４４】
１つの方法としては、操作部３０１にフリッカ画像を見るための指示がなされた場合、フリッカ正弦波の波形タイミングがわかっていれば、意図的に５０２のようなフリッカ周期の中でも最も暗い期間（フリッカが目立つタイミング）を通常のシャッターによる静止画として撮影する。そして、図６（ｃ）のようなフリッカ画像を作り出す。
【００４５】
または、図６（ｂ）の５０６のタイミングで通常シャッターによる静止画を撮影して、意図的に５０６のレベルである５０７から、最も暗い期間である５０４のレベルである５０５に矢印５０９のように下げるゲインをかける。そして、図６（ｃ）のようなフリッカ画像を作り出す。
【００４６】
または、ローリングシャッターによる撮影で５０６のような光量の変化が少ないタイミングで撮影した場合、４００の逆のゲインである５００のようなゲインをラインごとにかけ、図６（ｄ）のようなフリッカ画像を作り出す。
【００４７】
（光学ファインダー及びライブビュー表示とフリッカ画面への遷移の例）
図７（ａ）はカメラ２０１の光学ファインダー表示の例を示している。撮影レンズ２０２からの光をメインミラー２０３で反射しマット面２０６上に結像させ、ファインダー表示部２２０でアイコンや情報をスーパーインポーズさせる。その像がペンタプリズム２０７で反射され、利用者はアイピース２０９を通して観察する。
【００４８】
図７（ｂ）はディスプレイユニット２１２に表示されたライブビュー表示の例を示している。撮影レンズ２０２を通して撮像素子２１１に結像した像をシステム制御部３０６にて１／６０秒周期で撮影・画像処理してディスプレイユニット２１２に表示し続けることによって、一般的にライブビューと呼ばれる電子的なファインダーとする。
【００４９】
前述の図４で説明した方法などでフリッカを検知した場合は図７（ａ）の光学ファインダーの場合はファインダー表示部２２０で８０１のようなアイコンを表示して利用者にフリッカが発生していることを通知する。また、図７（ｂ）のライブビューの場合はディスプレイユニット２１２の撮像画像にスーパーインポーズする形で８０２のようなアイコンを表示して利用者にフリッカ発生を伝える。
【００５０】
このようにフリッカを検知しアイコン８０１か８０２が表示されているとき、操作部３０１によってフリッカ表示を指示する。すると、図８（ａ）の表示例のようにフリッカ画像が表示される。
【００５１】
あるいは、フリッカを検知しアイコン８０１か８０２が表示されているとき、操作部３０１によってフリッカ表示を指示すると、ライブビュー表示がそのままリアルタイムにフリッカ補正ありとなしの表示を、図８（ｂ）、（ｃ）のように切り替えて表示する。図８（ｂ）、（ｃ）の切り替えは自動でもいいし、操作部３０１によってトグル的に切り替わってもよい。
【００５２】
（操作の流れ）
図９はフリッカ検知、フリッカ画像表示などの処理の流れを示すフローチャートである。図８で示した遷移の例のうち、ライブビュー（図中ＬＶ）表示の場合について説明する。利用者により操作部３０１を用いて電源がオンされ、ＬＶ撮影モードに入ると、このフローの動作が始まる。
【００５３】
Ｓ１００１でシステム制御部３０６は、前述の方法を用いてフリッカを検知したか否かを判断する。検知していなければＳ１００２で通常のライブビュー表示を行う。検知していればＳ１００３の処理を行う。
【００５４】
Ｓ１００３でシステム制御部３０６は、フリッカ表示モードか否かを判断する。初期値は非フリッカ表示モードである。フリッカ表示モードでなければＳ１００４でシステム制御部３０６は、ライブビュー表示にスーパーインポーズさせてフリッカアイコン８０２を表示させる。フリッカ表示モードであればＳ１００５でシステム制御部３０６は、図８の方法などでフリッカ画像をディスプレイユニット２１２に表示させる。
【００５５】
Ｓ１００４とＳ１００５の表示中、Ｓ１００６でシステム制御部３０６は、操作部３０１のフリッカ画像プレビューボタンが押下されたか否かを判断する。押下された場合はＳ１００７でシステム制御部３０６は、フリッカ表示モードをトグルで切り替える。具体的にはフリッカ表示モードであれば非表示モードに切り替え、フリッカ非表示モードであればフリッカ表示モードに切り替える。
【００５６】
Ｓ１００２とＳ１００６とＳ１００７の処理の後Ｓ１００８でシステム制御部３０６は、操作部３０１のＳＷ１が押下されたか否かを判断する。押下された場合は、その先は既知の通常のカメラと同様の処理になるので詳述しないが、Ｓ１００９において自動焦点調節（ＡＦ）と自動露出制御（ＡＥ）がなされる。押下されていなければＳ１００１の処理に戻る。
【００５７】
Ｓ１０１０に移りシステム制御部３０６はさらにＳＷ２が押下されたか否かを判断する。押下された場合は通常の撮影処理に移る。押下されていなければ、繰り返しＡＦやＡＥを行うモードであればＳ１００９を繰り返し、Ｓ１０１０でＳＷ２の押下を待つ。
【００５８】
（フリッカ画像表示の例）
以上で説明したように、適正露出で撮影に成功した画像と、フリッカの影響を受けたか、あるいは受けた状態を意図的に作り出したフリッカ画像を用意する。そして、図８（ａ）の例では、１画面に複数の画像を表示する。
【００５９】
６００はディスプレイユニット２１２全体の枠を表す。その中に６０１と６０２の２つの画像を表示している。６１０はフリッカ画像を表示するモード中であることを表示している。６１１は画像６０１がフリッカ補正された画像であることを表し、６１２は画像６０２がフリッカ補正されていないフリッカ画像であることを表す。
【００６０】
図８（ａ）の例では適正露出で撮影した場合、つまりフリッカ補正を行った画像６０１と、フリッカの影響を受け補正を行わないフリッカ画像６０２を２つ並べて表示している。この場合２つの画像を同時に見て比較することができるが、１つの画像の表示が小さくなってしまう問題がある。
【００６１】
図８（ｂ）はディスプレイユニット２１２に６０３の画像を、図８（ｃ）はディスプレイユニット２１２に６０４の画像を表示し、図８（ｂ）と（ｃ）を交互に表示する例である。６１３及び６１５はフリッカ画像を表示するモード中であることを示す情報を画像中にスーパーインポーズ表示している。６１４は画像６０３がフリッカ補正された画像であることを示す情報を画像中にスーパーインポーズ表示し、６１６は画像６０４がフリッカ補正されていない画像であることを示す情報を画像中にスーパーインポーズ表示している。
【００６２】
この例では画像６０３が適正露出で撮影した場合、つまりフリッカ補正を行った場合の画像であり、画像６０４がフリッカの影響を受け補正を行わない場合のフリッカ画像である。この場合、２つの画像が交互に表示されるので、ディスプレイユニット２１２全画面を無駄なく使うことができるが、同時に表示はされないので交互に見て比較することになる。
【００６３】
これらにより利用者はフリッカ補正を行わなかった場合の画像がどのようになるか、フリッカ補正を行った場合と比較して知ることができ、フリッカ補正するべきか否かの判断材料とすることができる。
【００６４】
（ユーザーインターフェースの例）
図１０（ａ）、（ｂ）は本実施形態におけるフリッカ補正動作の指示を行うためのユーザーインターフェースの表示例である。まず通常撮影動作中、操作部３０１に含まれるメニューキーなどによりカメラ２０１の設定モードに入る。設定モードでは、図１０（ａ）のような画面がディスプレイユニット２１２に表示される。ここでカーソル７０１は操作部３０１に含まれる方向指示キーなどにより上下に項目を選択することができ、同様に操作部３０１に含まれる確定キーによって選択した項目を確定することができる。ここでは「１．フリッカ補正設定」を選択・確定する。なおその他カメラに必要な設定項目をこの画面の「２．」以降に持つものとする。
【００６５】
図１０（ｂ）は、図１０（ａ）の画面にて「１．フリッカ補正設定」を選択・確定した後表示される画面である。同じくディスプレイユニット２１２に表示される。図５で説明したフリッカ補正動作をするかしないかを設定できる。項目は「１．フリッカ補正する」「２．フリッカ補正しない」の２つがある。この２つはカーソル７０２によって図１０（ａ）同様、操作部３０１に含まれるキーによって選択と確定が出来る。そして、システム制御部３０６に含まれる不揮発性メモリに保存される。これにより利用者は実際にフリッカ補正をするかしないかをカメラ２０１に指示することができる。
【００６６】
以上、本発明の好ましい実施形態について説明したが、本発明はこれらの実施形態に限定されず、その要旨の範囲内で種々の変形及び変更・組み合わせが可能である。
【図１】
2015011073.tif 000003
【図２】
2015011073.tif 000004
【図４】
2015011073.tif 000005
【図９】
2015011073.tif 000006
【図１０】
2015011073.tif 000007
【図３】
2015011073.tif 000008
【図５】
2015011073.tif 000009
【図６】
2015011073.tif 000010
【図７】
2015011073.tif 000011
【図８】
2015011073.tif 000012